(57)【要約】  本発明は、長手方向の形状に沿って多様な幅を有するサーフボードに関し、細い中央区域（２）に対して幅方向に広がった前方区域（１）及び後方区域（２）を有し、前方及び後方区域（１及び２）の最大幅（Ｈ１及びＨ２）と中央区域（３）の最小幅（Ｈ３）との間には、あらかじめ決められた比率があると共に、幅Ｈ１、Ｈ２及びＨ３の位置とボードの全長（Ｌ）の間にも、あらかじめ決められた比率がある。
2012530648.tif 000002
【特許請求の範囲】
【請求項１】
長手方向の軸に関して対称性を有する細長い形状を有するタイプのサーフボードであって、前記サーフボードは、長手方向において幅が変化する構成であり、異なる幅の間に丸みを帯びた輪郭及び曲線での漸進的な変化部分を有し、前記サーフボードは、中央部の細い領域（３）に対してそれぞれが幅方向での拡大部を定める前方部の領域（１）及び後方部の領域（２）を含み、これらの領域において、前記幅についての比率が、前記中央部の領域（３）の最小幅（Ｈ３）は、前記前方部の領域（１）の最大幅（Ｈ１）の８１％から８５％までの間に含まれかつ前記後方部の領域（２）の最大幅（Ｈ２）の９３％から９７％までの間に含まれ、前記前方部の領域（１）の前記最大幅（Ｈ１）の部分は、前記サーフボードの後端から前記サーフボードの全長（Ｌ）の７６％から８０％までの間に含まれる距離（Ｌ１）に位置し、前記中央部の領域の（３）の前記最小幅（Ｈ３）の部分は、前記後端から前記サーフボードの前記全長（Ｌ）の３５％から４２％までの間に含まれる距離（Ｌ３）に位置し、前記後方部の領域（２）の前記最大幅（Ｈ２）の部分は、前記後端から前記サーフボードの全長（Ｌ）の１５％から１８％までの間に含まれる距離（Ｌ２）に位置し、この幅（Ｈ２）が、前記サーフボードの前記全長（Ｌ）の２０％から２３％までの間に含まれることを満たすことを特徴とするサーフボード。
【請求項２】
前記中央部の領域（３）の前記最小幅（Ｈ３）の部分が、前記後端から、前記サーフボードの前記全長（Ｌ）の３８％台の距離に位置することを特徴とする請求項１に記載のサーフボード。
【発明の詳細な説明】
【技術分野】
【０００１】
本発明は、サーフィンのスポーツの実施に関して、その機能のために、水上での操作性及び滑りを最適化するボードを提案する。
【背景技術】
【０００２】
サーフィンは、ユーザがボードを使用してその上に立って水上を滑走する、水上で、通常は海の波の上で人が滑走するスポーツである。
【０００３】
サーフボードは、従来、細長い形状を定め、平坦であるか又は両端にいくらかの上向きの湾曲を備えることができ、通常は、軽量プラスチック材料の内側層、及びグラスファイバ又は類似の材料からなる外側層による構造で形成される。このボードは、その構成において、たとえばフィン等といった補助的な構造をさらに定めることができる。
【０００４】
サーフボードは、ユーザの特徴、実施することになる波のタイプなどに応じて最良の操作性の条件に適合するように、その形状及びサイズにおいて異なる特徴を有した様々なものが存在する。その意図において、サーフボードは、長さが異なり、太い若しくは細い輪郭を備え、大きい若しくは小さい湾曲を備え、又は異なる材料で作られるが、通常の一般的な輪郭は、楕円形である。
【発明の概要】
【発明が解決しようとする課題】
【０００５】
本発明では、最適の操作性及び滑走の状態を提供する特徴によってその構成が定められるサーフボードを提案する。
【課題を解決するための手段】
【０００６】
本発明のこのサーフボードは、概して長手方向（縦方向。以下同じ。）の軸に関して対称である細長い輪郭を定め、細い部分を定める中央領域に対して幅方向（横方向。以下同じ。）に広くされた前方領域及び後方領域を、その長さ方向において定める。
【０００７】
前方領域すなわちノーズは、ボードの最も幅の広い部分であり、尖った形状の端を定める。一方で、後方領域すなわちテールは、それよりわずかに幅が狭く、半円形の端を定めている。中央領域は、これらの両端の領域からの丸みを帯びた曲線で漸進的な態様により形状を決められる、細い部分を定める。
【０００８】
上記の提案されたサーフボードの構成の特徴は、要素相互間の特定の対比割合で提供されて、適用する使用における水上での操作性及び滑走についてのボードの機能を最適化するアッセンブリを達成する。
【０００９】
サーフボードの端は、一方又は両方の端においてわずかに上向きの湾曲を定めることができるが、それは、ユーザの特徴及び実施される波のタイプにより変わる。
【００１０】
重要なことは、本発明のサーフボードが、使用のための非常に有利な特徴を有し、その意図された機能に対して、それ自身の独自性及び好ましい特徴を有するということである。
【図面の簡単な説明】
【００１１】
【図１】実施形態による、提案されたサーフボードの側面図である。
【図２】図１に対応する平面図である。
【発明を実施するための形態】
【００１２】
本発明の目的は、最適の操作性及び滑走特性を提供する構成で作られたサーフボードに関する。
【００１３】
提案されるサーフボードは、長手方向の軸に関して対称である細長い形状を定め、前方部の領域（１）すなわちノーズ、及び後方部の領域（２）すなわちテールを有し、これらが、幅方向に細くなった中央部の領域（３）に対して幅方向での拡大部を定め、両端の領域（１及び２）から中央領域（３）へ向かって漸進的に曲線で変化する丸みを帯びた輪郭を備える。
【００１４】
前方部の領域（１）は、その先端において尖った形状（４）を定め、そこからこの領域は、幅方向の広さが、全長（Ｌ）のボードの後端に対して距離（Ｌ１）のところにある最大幅（Ｈ１）まで漸進的に増加する。
【００１５】
後方部（２）の領域（２）は、後方の輪郭の先端に対して距離（Ｌ２）のところにある最大幅（Ｈ２）まで漸進的に幅方向に広がる半円形の輪郭の端を定め、この幅（Ｈ２）は、前方部の領域（１）の最大幅（Ｈ１）よりわずかに小さい。
【００１６】
中央部の領域（３）は、前述の前方及び後方部の領域（１及び２）に対して幅方向に細くなった部分を定め、前記領域（３）の最小幅（Ｈ３）をボードの後端に対して距離（Ｌ３）のところに備える。この距離（Ｌ３）は、ボードの全長（Ｌ）の３５％から４２％までの間に含まれ、好ましくはそれをボードの全長（Ｌ）の３８％台とする。
【００１７】
ボードの後端に対する前方領域（１）の最大幅（Ｈ１）の距離（Ｌ１）は、ボードの全長（Ｌ）の７６％から８０％までの間にある。一方、ボードの後端に対する後方領域（２）の最大幅（Ｈ２）の距離（Ｌ２）は、ボードの全長（Ｌ）の１５％から１８％までの間に含まれる。
【００１８】
それに加えて、中央部の領域（３）の最小幅（Ｈ３）は、前方部の領域（１）の最大幅（Ｈ１）の８１％から８５％までの間にある。一方で、中央部の領域（３）の最小幅（Ｈ３）は、後方部の領域（２）の最大幅（Ｈ２）の９３％から９７％までの間にあり、この幅（Ｈ２）は、ボードの全長（Ｌ）の２０％から２３％までの間に含まれる。
【符号の説明】
【００１９】
１  前方部の領域
２  後方部の領域
３  中央部の領域
４  尖った形状
Ｌ  ボードの全長
Ｌ１、Ｌ２、Ｌ３  後端からの距離
Ｈ１  前方部の領域の最大幅
Ｈ２  後方部の領域の最大幅
Ｈ３  中央部の領域の最小幅
【図１】
2012530648.tif 000003
【図２】
2012530648.tif 000004
【国際調査報告】
2012530648.tif 000005
2012530648.tif 000006
2012530648.tif 000007
2012530648.tif 000008